(57)【要約】      （修正有）【課題】支柱間のガードレールの下方の空間に、網を取り付け、小石や泥水の撥ねを防ぐことのできる、歩道および中央分離用の防護用網付の防護柵を提供する。【解決手段】傾斜面で段差を設けた平行の２面部の一方の面部に横長の孔を設けて前面部６とし、他方の面部に縦長の孔２個を横に並べて後面部７とした支柱取付具３を、２個上下に間隔を置いて、互いに上下方向を反対にして、それぞれの後面部を、歩道脇の支柱列の支柱１に当接し、それら後面部の２個の縦長の孔に取付バンド４の両端を挿入して支柱を取り巻き、ラチェット５で締め付けて固定する。隣接する２本の支柱、上下の支柱取付具の前面部間のそれぞれに、両端部に孔１１を設けた長手のジョイント材１０を渡し、網材１６の縁部をジョイント材に当接させ、ジョイント材の前記孔から前方に突出するボルト１３の先端を網材の目を挿通させて前方に突出させ、座金１２を介してナット１７で締め付ける。【選択図】図１
2005120577.tif 000002
【特許請求の範囲】
【請求項１】
傾斜面で段差を設けた平行の２面部の一方の面部に横長の孔を１個または横長の孔２個を横に並べて設けて前面部とし、他方の面部に縦長の孔２個を横に並べて後面部とした支柱取付具を、２個上下に間隔を置いて、かつ、上方には前面部を上方向にし、下方には前面部を下方向にして、それぞれの後面部を、歩道脇または道路中央線に設立した支柱列の支柱に当接し、それら後面部の２個の縦長の孔に取付バンドの両端を挿入し、該取付バンドで支柱を取り巻き、ラチェットで締め付けて固定し、
上記支柱の列の隣接する２本の支柱の上方に固定した前記支柱取付具の前面部間と下方に固定した前記支柱取付具の前面部間のそれぞれに、両端部に孔を設けるか、または、孔のある係止片を設けた長手のジョイント材を横にして渡し、それらの両端部を前記支柱取付具の前面部に当接させ、前面部の背面から前面部の孔とジョイント材の前記孔にボルトの先端を挿入し、
網材の縁部を前記ジョイント材に当接させ、該ジョイント材の前記孔から前方に突出するボルトの先端を前記網材の目を挿通させて前方に突出させ、または、角型の枠にボルト孔を設けるか、または、前記枠にボルト孔を設けた係止片を設け、前記枠に網材を取付けてなる網枠を、前記支柱取付具に当接させた上下のジョイント材に当接させ、該ジョイント材の前記孔から前方に突出するボルトの先端を前記網枠のボルト孔または前記枠の係止片のボルト孔を挿通させて前方に突出させ、それらの先端に座金を介してナットで締め付けて前記支柱取付具、ジョイント材および網材または網枠を固定してなる防護柵。
【請求項２】
後面部の両端に、同方向に対称的に傾斜面を設け、それぞれの傾斜面の上縁に連続して、前記後面部と平行の前面部を設け、それら前面部のそれぞれに、横の長孔を１個または横の長孔２個を横に並べて設け、前記後面部に、２つの傾斜面寄りに、それぞれ縦長の孔２個を横に並べて設けた支柱取付具を、その後面部を歩道脇または道路中央線に設立した支柱列の支柱に当接し、その後面部の上下の２個の縦長の孔に取付バンドの両端を挿入し、該取付バンドで支柱を取り巻き、ラチェットで締め付けて固定し、
上記支柱の列の隣接する２本の支柱の上方に固定した前記支柱取付具の上方の前面部間と下方前面部間のそれぞれに、両端部に孔を設けるか、または、孔のある係止片を設けた長手のジョイント材を横にして渡し、それらの両端部を前記支柱取付具の前面部に当接させ、前面部の背面から前面部の孔とジョイントの前記孔にボルトの先端を挿入し、
網材の縁部を前記ジョイント材に当接させ、該ジョイント材の前記孔から前方に突出するボルトの先端を前記網材の目を挿通させて前方に突出させ、または、角型の枠にボルト孔を設けるか、または、前記枠にボルト孔を設けた係止片を設け、前記枠に網材を取付けてなる網枠を、前記支柱取付具に当接させた上下のジョイント材に当接させ、該ジョイント材の前記孔から前方に突出するボルトの先端を前記網枠のボルト孔または前記枠の係止片のボルト孔を挿通させて前方に突出させ、それらの先端に座金を介してナットで締め付けて前記支柱取付具、ジョイント材および網材または網枠を固定してなる防護柵。
【請求項３】
ジョイント材を用いないで、支柱に取付けた支柱取付け具の前面部に  網材の縁部を当接させ、該前面部の孔から前方に突出するボルトの先端を前記網材の目を挿通させて前方に突出させ、または、角型の枠にボルト孔を設けるか、または、前記枠にボルト孔を設けた係止片を設け、前記枠に網材を取付けてなる網枠を、前記支柱取付具の前面部に当接させ、前記前面部の孔から前方に突出するボルトの先端を前記網枠のボルト孔または前記枠の係止片のボルト孔を挿通させて前方に突出させ、それらの先端に座金を介してナットで締め付けて前記支柱取付具と網材または網枠を固定してなる請求項１または２に記載の防護柵。
【請求項４】
網材または網枠の代わりに、縁部に孔を設けたプレートを用いてなることを特徴とする請求項１乃至３のいずれかに記載の防護柵。
【請求項５】
取付バンドとラチェットの代わりに、Ｕボルト、座金、ナットを用いて支柱取付具を支柱に固定することを特徴とする請求項１乃至４のいずれかに記載の防護柵。
【発明の詳細な説明】
【技術分野】
【０００１】
この発明は、道路を走行中の車が小石や泥水等を撥ね飛ばして歩行中の人や道路脇の家屋や対向車に当り傷つけたり汚したりするのを防止するための歩道および中央分離帯の防護用のプレートまたは網付防護柵に関するものである。
【背景技術】
【０００２】
従来、歩道脇には、支柱と支柱の上端部に帯状のガードレールまたは横棒を取り付けた防護柵を設け、人が車道歩行の車に接触しないようにしている（特許文献１、２参照）。  また、中央分離帯として広い幅のものを設ける余裕のない道路では、道路中央線に、歩道脇の防護柵と同様のものを設けている。
【特許文献１】特開平７−３２２７６０（図４）
【特許文献２】特開２００１−２０５６４（図７、図８）
【発明の開示】
【発明が解決しようとする課題】
【０００３】
従来の防護柵は、ガードレールまたは横棒の下方が空いており、車道に落ちている小石や車道の水溜まりの泥水を車が撥ね飛ばすと、歩行者に当たって傷つけたり衣服を汚し、小石が歩道に面した家のガラスを割ったり、家屋を傷つけるおそれがあり、対向車に小石や泥水を撥ね、車を傷つけたり汚すおそれがある。
【０００４】
この発明は、支柱間のガードレールまたは横棒の下方の空間に、防護プレートまたは網を取り付け、小石や泥水の撥ねを防ぐことのできる、歩道および中央分離用の防護用プレートまたは網付の防護柵（以下単に防護柵という）を提供することを目的とする。
【課題を解決するための手段】
【０００５】
傾斜面で段差を設けた平行の２面部の一方の面部に横長の孔を１個または横長の孔２個を横に並べて設けて前面部とし、他方の面部に縦長の孔２個を横に並べて後面部とした支柱取付具を、２個上下に間隔を置いて、かつ、上方には前面部を上方向にし、下方には前面部を下方向にして、それぞれの後面部を、歩道脇または道路中央線に設立した支柱列の支柱に当接し、それら後面部の２個の縦長の孔に取付バンドの両端を挿入し、該取付バンドで支柱を取り巻き、ラチェットで締め付けて固定し、
上記支柱の列の隣接する２本の支柱の上方に固定した前記支柱取付具の前面部間と下方に固定した前記支柱取付具の前面部間のそれぞれに、両端部に孔を設けるか、または、孔のある係止片を設けた長手のジョイント材を横にして渡し、それらの両端部を前記支柱取付具の前面部に当接させ、前面部の背面から前面部の孔とジョイント材の前記孔にボルトの先端を挿入し、
網材の縁部を前記ジョイント材に当接させ、該ジョイント材の前記孔から前方に突出するボルトの先端を前記網材の目を挿通させて前方に突出させ、または、角型の枠にボルト孔を設けるか、または、前記枠にボルト孔を設けた係止片を設け、前記枠に網材を取付けてなる網枠を、前記支柱取付具に当接させた上下のジョイント材に当接させ、該ジョイント材の前記孔から前方に突出するボルトの先端を前記網枠のボルト孔または前記枠の係止片のボルト孔を挿通させて前方に突出させ、それらの先端に座金を介してナットで締め付けて前記支柱取付具、ジョイント材および網材または網枠を固定して防護柵を形成する。      
【０００６】
後面部の両端に、同方向に対称的に傾斜面を設け、それぞれの傾斜面の上縁に連続して、前記後面部と平行の前面部を設け、それら前面部のそれぞれに、横の長孔を１個または横の長孔２個を横に並べて設け、前記後面部に、２つの傾斜面寄りに、それぞれ縦長の孔２個を横に並べて設けた支柱取付具を、その後面部を歩道脇または道路中央線に設立した支柱列の支柱に当接し、その後面部の上下の２個の縦長の孔に取付バンドの両端を挿入し、該取付バンドで支柱を取り巻き、ラチェットで締め付けて固定し、
上記支柱の列の隣接する２本の支柱の上方に固定した前記支柱取付具の上方の前面部間と下方前面部間のそれぞれに、両端部に孔を設けるか、または、孔のある係止片を設けた長手のジョイント材を横にして渡し、それらの両端部を前記支柱取付具の前面部に当接させ、前面部の背面から前面部の孔とジョイント材の前記孔にボルトの先端を挿入し、
網材の縁部を前記ジョイント材に当接させ、該ジョイント材の前記孔から前方に突出するボルトの先端を前記網材の目を挿通させて前方に突出させ、または、角型の枠にボルト孔を設けるか、または、前記枠にボルト孔を設けた係止片を設け、前記枠に網材を取付けてなる網枠を、前記支柱取付具に当接させた上下のジョイント材に当接させ、該ジョイント材の前記孔から前方に突出するボルトの先端を前記網枠のボルト孔または前記枠の係止片のボルト孔を挿通させて前方に突出させ、それらの先端に座金を介してナットで締め付けて前記支柱取付具、ジョイント材および網材または網枠を固定して防護柵を形成する。      
【０００７】
ジョイント材を用いないで、支柱に取付けた支柱取付具の前面部に  網材の縁部を当接させ、該前面部の孔から前方に突出するボルトの先端を前記網材の目を挿通させて前方に突出させ、または、角型の枠にボルト孔を設けるか、または、前記枠にボルト孔を設けた係止片を設け、前記枠に網材を取付けてなる網枠を、前記支柱取付具の前面部に当接させ、前記前面部の孔から前方に突出するボルトの先端を前記網枠のボルト孔または前記枠の係止片のボルト孔を挿通させて前方に突出させ、それらの先端に座金を介してナットで締め付けて前記支柱取付具と網材または網枠を固定して防護柵を構成する。
【０００８】
網材または網枠の代わりに、縁部に孔を設けたプレートを用いてもよい。
【０００９】
取付バンドとラチェットの代わりに、Ｕボルト、座金、ナットを用いて支柱取付具を支柱に固定してもよい。
【発明の効果】
【００１０】
この発明に係る防護柵は、歩道脇か車道中心線に設置でき、支柱間をプレートまたは網で覆うので、車道で車が小石や泥水を撥ね飛ばしても、プレートまたは網が防いで、歩行者、家屋や対向車を傷つけたり汚したりしない。
また、支柱にはボルト孔の穿孔や、溶接等何も加工する必要がないので、既設の歩行者用の転落防止柵や、車道の中央分離用の支柱に容易にプレートまたは網を取り付けて防護柵とすることができる。
また、プレートまたは網の取付けが容易で、また、取り外し取り替えも容易である。
【発明を実施するための最良の形態】
【００１１】
支柱１にガードレール２または横桟を取り付ける。ガードレール２または横桟の取り付けは従来公知の方法で行う。既設のガードレール付または横桟付の支柱であってもよい。      
【００１２】
支柱１に、支柱取付具３を、取付バンド４とラチェット５で締め付け固定する。
【００１３】
支柱取付具３は、金属またはプラスチック製で、図２、３に示す端部用の支柱取付具３ａ、３ｂと図４に示す中間用の支柱取付具３ｃとよりなる。
支柱取付具３は、いずれも、前面部６と後面部７と、それらを連結する傾斜面８とよりなる。前面部６と後面部７の２平面部は、平行で、傾斜面８を介して段差がある。
【００１４】
支柱取付具３ａは、前面部６の縦中心線と後面部の縦中心線とは同一線上になく、前面部６の縦中心線は、後面部７の縦中心線の右側に位置する。
支柱取付具３ｂは、支柱取付具３ａとは対称的に、前面部の縦中心線が後面部の縦中心線より左側に位置するようにした形状である。
【００１５】
支柱取付具３ｃは、後面部７の縦中心線に対して、縦中心線が右側および左側に位置する２つの前面部６を備えた形状である。
【００１６】
支柱取付具３の、前面部６には１つの長孔９を横方向にして設け、後面部７には２つの長孔９を縦にして横に並べて設ける。
【００１７】
支柱取付具３を支柱１に取り付ける方法は次のとおりである。
すなわち、防護柵の支柱１の列の左端の支柱１の上部に支柱取付具３ａを、その前面部６を上にして、その後面部７を当接させ、後面部７の２つの孔９のそれぞれに、前方から取付バンド４の端部のいずれかを挿入し、取付バンド４で支柱１を抱えて取り巻き、それら端部をラチェット５で締め付けることにより固定する。
一方、支柱１の下部には支柱取付具３ｂを、その前面部６を下にして、その後面部７を当接させ、後面部７の２つの孔９のそれぞれに、前方から取付バンド４の端部のいずれかを挿入し、取付バンド４で支柱１を抱えて取り巻き、それら端部をラチェット５で締め付け固定する。
支柱１の上部には３ａを、下方には３ｂを、上記の状態で取付けるのは、前面部６が支柱１の左側に突出しないようにするためである。
【００１８】
支柱１の列の右端の支柱には、前記右端の支柱１の場合とは反対に、上部に支柱取付具３ｂを、その前面部６を上にし、下部には支柱取付具３ａを、その前面部６を下にし、それぞれの後面部７を当接し、取付けバンド４とラチェット５で締め付け固定する。
支柱１の上部には３ｂを、下方には３ａを、上記の状態で取付けるのは、前面部６が支柱１の右側に突出しないようにするためである。
【００１９】
支柱取付具３ａ、３ｂの前面部６が、支柱１の右側または左側に突出しても差支えのない場合には、支柱取付具３ａ、３ｂの選択にとらわれることなく、何れを用いてもよい。また、その場合には、支柱取付具３ａ、３ｂの代わりに、支柱取付具３ｃを用いてもよい。
【００２０】
中間の支柱１には、その上部には、支柱取付具３ｃを、前面部を上方にし、支柱１の下部には支柱取付具３ｃの前面部６を下方にして、それぞれの後面部７を当接させ、前述の支柱取付具３ａ、３ｂの固定と同様に、後面部７の２つの孔９に、取付バンド４の両端を挿入して支柱１を抱え、ラチェット５で締め付けて固定する。
【００２１】
次いで、防護柵の２本の支柱１の間隔に対応する長さ、または、それ以上の長さで、両端部、および長さによっては中間に、支柱１に取り付けた支柱取付具３の前面部６の長孔９に対応する長孔１１または丸孔を設けたジョイント材１０を、横にして支柱１の上下に取り付けた支柱取付具３のそれぞれの前面部６の前面に当接し、前面部６の背面側から、座金１２を介してボルト１３の先端を前面部６の長孔９とジョイント材の長孔１１に挿入し、ジョイント材１０を支柱取付具３に一時的に係止する。
【００２２】
２つのジョイント材１０を、２本の支柱１間で連結するためには、２つの孔を設けた連結板を２つのジョイント材１０の対向する縁部に跨がって当接し、ジョイント材１０の端部の孔と連結板の孔を対応させてボルトを挿入し、ナットで締め付けて固定すればよい。      
【００２３】
ジョイント材１０の要部を図５に示す。
（Ａ）に示すジョイント材１０は、帯状プレートよりなる。
（Ｂ）に示すジョイント材１０は、棒状であって、少なくとも両端部に係止片１０ａを設け、その係止片１０ａに長孔１１または丸孔を設けたものである。
【００２４】
防護柵の支柱１間で、ガードレール２または横桟の下方の空間を覆う網材１６は、上下幅はおよそ上記空間にはまる幅で、横幅は、限定しないが、２本の支柱間にはまる幅が好ましく、その０．５倍、１．５倍または２倍の幅でもよい。
【００２５】
この網材１６を直接支柱間の上記空間を覆うのに用いる場合には、図５に示すように、網材１６を上記支柱１の上下に取付けた支柱取付具３の前面部６に係止したジョイント材１０に当接させ、前面部６の背面側から孔９に挿入し、ジョイント材１０の孔１１を貫通したボルト１３の先端を網目から前方に突出させ、座金１２を介してナット１７で締め付けて網材１６を固定する。なお、その際にジョイント材１０も固定される。
ナット１７はキャップ型のものが好ましい。
上記要領で、隣接する支柱間に順次網材１６を取り付ける。
【００２６】
網材１６の横幅が、支柱間の幅のおよそ０．５倍、または、１．５倍の場合には、隣接する２つ網材１５の対向する縁が、２本の支柱間に位置することになるので、ジョイント材１０の中間に設けた孔、または、２つのジョイント材１０を連結板で連結する孔と連結板の孔、とボルト、ナットを利用し、それら孔にボルトを挿入し、その先端を網目または網枠１４の孔に挿入突出させ、その突出先端に座金を介してナットを締め付けて固定する。
【００２７】
上記のように、網材１６を直接取付けないで、
上下幅は、防護柵の支柱間でガードレール２または横桟の下方の空間にはまる幅で、横幅は、限定しないが、好ましくは隣接する２本の支柱に跨がる幅の枠１５に網材１６を取り付けた網枠１４を用いてもよい。
網枠１４のジョイント材１０への係止手段は、図７に示すように、枠１５の少なくとも四隅に孔１８を設けるか、または、図８に示すように、孔を設けた係止片１８を枠１５に設け、網枠１４を前記支柱取付具３の前面部６に当接させ、前面部６の背面側から孔９に挿入したボルト１３の先端を前記枠１６の孔１８または係止片１８の孔に挿入させ、そのボルト１３の先端に座金を介してナットを締め付けて固定する。
図７および図８においては網材１６の図示省略した。
【００２８】
上記要領で、隣接する支柱間に順次網枠１４を取り付ける。
【００２９】
支柱取付具３は、前面部６は傾斜面８を介して後面部７と段差があって、後面部７を支柱１に当接させて取付バンドで固定したときに、前面部６と支柱１との間に段差相当の間隔ができるので、前面部６の背面側からボルト１３を挿入する作業を容易にする。
【実施例１】
【００３０】
支柱取付具３ａおよび３ｂは、前面部６の縦中心線が後面部７の縦中心線とずらしているのは、前述のように、支柱の列の左右の端の支柱１に支柱取付具３ａ、３ｂを取り付けたときに、前面部６が支柱の端から突出しないようにする効果があるが、それ以外に、前面部６の縦中心線が支柱１の中心線を外れ、前面部６の背面側からボルト１３を挿入し易くする効果がある。しかし、傾斜面８の傾斜角度を大きくして前面部６と後面部７との段差を少々大きくすれば、図９に示す支柱取付具３ｄのように、前面部６と後面部７の縦中心線が同一線上の構造のものとしてもよく、ボルト１３の挿入作業に支障を来さない。
また、製造も容易である。
【実施例２】
【００３１】
支柱取付具３ｃは、分岐した２つの前面部６を備えているが、図１０に示す支柱取付具３ｅのように、横向きの２つの長孔９を横に並べた１つの前面部６を設けたものを支柱取付具３ｃの代わりに用いてもよい。
【実施例３】
【００３２】
網枠１４の代わりに金属板、プラスチック板等のプレートを用いてもよい。
このプレートには、支柱取付具３の前面部６の背面側から、前面部の長孔９とジョイント材１０の長孔１１を貫通して突出したボルト１３の先端を挿通させる長孔を設ける。
【実施例４】
【００３３】
図１１に示す支柱取付具３ｆは、１つの後面部７ａの両端に、前方向に対称的に傾斜する傾斜部８、８を設け、それらの先端に、後面部７ａに平行に、後面部７ａの中心線に対して同方向にずらして対称的に前面部６、６を設け、それぞれの前面部６には、横にした長孔９を設け、後面部７ａの両端部、すなわち前面部６、６寄りに、各々２個の縦にした長孔９を横に並べて設けたものである。
【００３４】
この支柱取付具３ｆは、１個で、支柱取付具３ａと３ｂの２個の代わりをするものである。図１１では、上方の前面部６が、支柱取付具３ｂで、下方の前面部６が、支柱取付具３ａを逆にした形状である。図１１に示す支柱取付具３ｆを上下逆にすると、上方の前面部６が、支柱取付具３ａで、下方の前面部６が、支柱取付具３ｂを逆にした形状である。この支柱取付具３ｆの後面部７ａを支柱１に沿わせて当接させ、後面部７ａの上下それぞれのの長孔９に取付バンド４を通してラチェット５で締め付けで固定する。ジョイント材１０および網枠１４またはプレートの取付け方法は先に説明した要領と同じである。
【００３５】
支柱取付具３ｆの代わりに、２つの支柱取付具３ｄを、その前面部６を逆にし、互いの前面部を共通の前面部７ａとしたものを用いてもよい。
【実施例５】
【００３６】
図１２に示す支柱取付具３ｇは、１つの後面部７ａの両端に、同じ側に対称的に傾斜する傾斜部８、８を設け、それらの先端に、後面部７ａに平行に、後面部７ａの中心線に対して外方向にずらして互いに対称的にそれぞれ２つの前面部６、６を設け、それぞれの前面部６には、横にした長孔９を設け、後面部７ａの両端部、すなわち上下の前面部６、６寄りに、各々２個の縦にした長孔９を横に並べて設けたものである。
【００３７】
この支柱取付具３ｇは、１個で、支柱取付具３ｃ２個の代わりをするものである。
この支柱取付具３ｆの後面部７ａを支柱１に沿わせて当接させ、後面部７ａの上下それぞれのの長孔９に取付バンド４を通してラチェット５で締め付けで固定する。ジョイント材１０および網枠１４またはプレートの取付け方法は先に説明した要領と同じである。
【００３８】
支柱取付具３ｇの代わりに、２つの支柱取付具３ｅを、その前面部６を逆にし、互いの前面部を共通の前面部７ａとしたものを用いてもよい。
【実施例６】
【００３９】
上記いずれの実施の形態においても、ジョイント材１０を用いたが、ジョイント材１０を用いないで、網材１６または網材１６を取付けた網枠１４を支柱間に取付けてもよい。すなわち、支柱１に取付けた支柱取付具３の前面部６に網材１６または網材１６を取付けた網枠１４の縁部を当接させ、前面部６の背面側から、その孔９にボルトの先端を挿入し、その先端を網材１６の網目または網枠１４の孔に挿入し、ボルトとナットとで固定する。
上記の場合に、ボルトを挿入する網目の位置の選択、および、網枠または係止片の孔の位置を調節設定により、網材または網枠の縦の縁部を、支柱の列の左右の端の支柱よりも、少々突出させることができる。
隣接する網材１６または網枠１４の縁部の縦の線が、支柱間に位置する場合には、２つの孔を設けた係止片を、隣接する網材１６または網枠１４の縁部に跨がって当接させ、ボルトの先端を網目、枠の孔、または枠に設けた係止片の孔に挿入し、ナットを締め付けて固定するのが好ましい。なお、この場合に座金を併用するのが好ましい。
【図面の簡単な説明】
【００４０】
【図１】支柱に網枠を取り付ける説明図である。
【図２】支柱取付具の（Ａ）は正面図、（Ｂ）は側面図である。
【図３】他の実施の形態の支柱取付具の（Ａ）は正面図、（Ｂ）は側面図である。
【図４】他の実施の形態の支柱取付具の（Ａ）は正面図、（Ｂ）は側面図である。
【図５】ジョイント材の要部説明図である。
【図６】網材の取付け説明図である。
【図７】網枠の取付け説明図である。
【図８】他の実施の形態の網枠の取付け説明図である。
【図９】他の実施の形態の支柱取付具の正面図である。
【図１０】他の実施の形態の支柱取付具の正面図である。
【図１１】他の実施の形態の支柱取付具の正面図である。
【図１２】他の実施の形態の支柱取付具の正面図である。
【符号の説明】
【００４１】
１    支柱
２    ガードレール
３    支柱取付具
４    取付バンド
５    ラチェット
６    前面部
７    後面部
８    傾斜面
９    長孔
１０  ジョイント材
１１  長孔
１２  座金
１３  ボルト
１４  網枠
１５  枠
１６  網材
１７  ナット
１８  係止片
【図１】
2005120577.tif 000003
【図２】
2005120577.tif 000004
【図３】
2005120577.tif 000005
【図４】
2005120577.tif 000006
【図５】
2005120577.tif 000007
【図６】
2005120577.tif 000008
【図７】
2005120577.tif 000009
【図８】
2005120577.tif 000010
【図９】
2005120577.tif 000011
【図１０】
2005120577.tif 000012
【図１１】
2005120577.tif 000013
【図１２】
2005120577.tif 000014